(57)【要約】【課題】感熱紙を交換する際に、簡単な操作で開閉蓋を開くことができる。【解決手段】中空部２５に面して設けられたサーマルヘッド２５と、回動軸３３を回動中心として開口部２４を開閉自在に蓋する蓋体５１と、回動軸３３を筐体の他方側へ移動可能に支持する支持部３１と、蓋体５１に設けられ、サーマルヘッド２５と対向配置されるプラテンローラ４１及び凹部５３を有する開閉ボタン５２と、先端２８が凹部５３に挿脱可能に設けられ、その中間位置にピン４２に係止される被係止部２９を有する挿入部材２６と、被係止部２９をピン４２へ係止させる方向へ付勢する引張バネ２７ａとを具備し、凹部５３及び先端部２８は、開閉ボタン５２を押し下げることにより、挿入部材２６の先端２８を筐体本体２０の一方側に移動させ、ピン４２と被係止部２９との係止を解除する形状である。【選択図】      図１
2008012862.tif 000002
【特許請求の範囲】
【請求項１】
中空部及びこの中空部に連なる開口部がその上部に設けられた筐体と、
この筐体の一方側に設けられ、前記中空部に面して設けられたサーマルヘッドと、
前記筐体の他方側に設けられた水平方向の回動軸を回動中心として前記開口部を開閉自在に蓋する蓋体と、
前記筐体に設けられ、前記回動軸を前記筐体の他方側へ移動可能に支持する支持部と、
前記蓋体に設けられ、前記開口部に閉じた状態で前記中空部に位置し、前記サーマルヘッドと対向配置されるプラテンローラと、
前記中空部に配置され、感熱紙を用紙搬送路に沿って搬送し、前記蓋体が閉じた状態で前記サーマルヘッドと前記プラテンローラとの間に供給する感熱紙搬送機構と、
前記蓋体に設けられた係止部と、
前記蓋体の一方側に取り付けられ、下側に開口した凹部を有する開閉ボタンと、
その基端が上記筐体の一方側に配置された水平方向の回動軸を回動中心として回動自在に設けられ、その先端が前記開閉ボタンの凹部に挿脱可能に設けられ、その中間位置に前記係止部に係止される被係止部を有する挿入部材と、
前記挿入部材の被係止部を前記係止部へ係止させる方向へ付勢する付勢部材とを具備し、
前記凹部及び前記挿入部材の先端部は、前記開閉ボタンを押し下げることにより、前記挿入部材の先端部を前記筐体の一方側に移動させるとともに、前記付勢部材による付勢力に抗して前記係止部と前記被係止部との係止を解除する形状に形成されていることを特徴とするサーマルプリンタ。
【請求項２】
上記蓋体は、開く方向に付勢されていることを特徴とする請求項１に記載のサーマルプリンタ。
【請求項３】
上記支持部は、前記回動軸を楕円孔によって支持していることを特徴とする請求項１に記載のサーマルプリンタ。
【請求項４】
前記支持部は、前記筐体の他方側へ撓むことを特徴とする請求項１に記載のサーマルプリンタ。
【発明の詳細な説明】
【技術分野】
【０００１】
本発明は、感熱紙に印刷を行うサーマルプリンタに関し、特に感熱紙交換時における開閉蓋の開閉を容易に行えるものに関する。
【背景技術】
【０００２】
感熱紙に対してサーマルプリンタが知られている（例えば、特許文献１参照）。このようなサーマルプリンタには、サーマルヘッドが設けられ、これに対向してプラテンが配置されている。これらサーマルヘッドとプラテンとの間を感熱紙が通過し、サーマルヘッドに加えられた熱によって感熱紙上に印刷を行うようにしていた。なお、感熱紙は通常ロール状に巻かれており、感熱紙を交換する際には筐体上部にある開閉蓋を開く必要がある。
【特許文献１】特開平１１−２８６１４７号公報
【発明の開示】
【発明が解決しようとする課題】
【０００３】
上述したサーマルプリンタでは、次のような問題があった。すなわち、サーマルヘッドは筐体側、プラテンは蓋体側に設けられており、通常はサーマルヘッドとプラテンとは圧接されているため、開閉しようとするとプラテンが筐体側に干渉する。したがって、開閉蓋を一旦サーマルヘッドから離間する方向にずらした後、開閉する等の複雑な操作が必要であった。
【０００４】
そこで本発明は、感熱紙を交換する際に、簡単な操作で開閉蓋を開くことができるサーマルプリンタを提供することを目的としている。
【課題を解決するための手段】
【０００５】
前記課題を解決し目的を達成するために、本発明のサーマルプリンタは次のように構成されている。
【０００６】
中空部及びこの中空部に連なる開口部がその上部に設けられた筐体と、この筐体の一方側に設けられ、前記中空部に面して設けられたサーマルヘッドと、前記筐体の他方側に設けられた水平方向の回動軸を回動中心として前記開口部を開閉自在に蓋する蓋体と、前記筐体に設けられ、前記回動軸を前記筐体の他方側へ移動可能に支持する支持部と、前記蓋体に設けられ、前記開口部に閉じた状態で前記中空部に位置し、前記サーマルヘッドと対向配置されるプラテンローラと、前記中空部に配置され、感熱紙を用紙搬送路に沿って搬送し、前記蓋体が閉じた状態で前記サーマルヘッドと前記プラテンローラとの間に供給する感熱紙搬送機構と、前記蓋体に設けられた係止部と、前記蓋体の一方側に取り付けられ、下側に開口した凹部を有する開閉ボタンと、その基端が上記筐体の一方側に配置された水平方向の回動軸を回動中心として回動自在に設けられ、その先端が前記開閉ボタンの凹部に挿脱可能に設けられ、その中間位置に前記係止部に係止される被係止部を有する挿入部材と、前記挿入部材の被係止部を前記係止部へ係止させる方向へ付勢する付勢部材とを具備し、前記凹部及び前記挿入部材の先端部は、前記開閉ボタンを押し下げることにより、前記挿入部材の先端部を前記筐体の一方側に移動させるとともに、前記付勢部材による付勢力に抗して前記係止部と前記被係止部との係止を解除する形状に形成されていることを特徴とする。
【発明の効果】
【０００７】
本発明によれば、感熱紙を交換する際に、簡単な操作で開閉蓋を開くことが可能となる。
【発明を実施するための最良の形態】
【０００８】
図１は本発明の一実施の形態に係るサーマルプリンタ１０を模式的に示す縦断面図、図２はサーマルプリンタ１０の開閉蓋の要部を示す縦断面図、図３はサーマルプリンタ１０の開閉蓋の要部を示す縦断面図、図４はサーマルプリンタ１０の開閉蓋を開いた状態を模式的に示す縦断面図である。また、図中Ｐは感熱紙を示している。なお、図１〜図４において左側は筐体本体２０の一方側、右側は筐体本体２０の他方側に相当する。
【０００９】
サーマルプリンタ１０は、各機構を収容する筐体本体２０と、この筐体本体２０に対して開閉自在に設けられた開閉機構３０とを備えている。
【００１０】
筐体本体２０は、樹脂材製のベース部２１を備えている。ベース部２１上には感熱紙搬送機構２２ａ等の各種機器を収納する本体部２２が設けられ、中空部２３が形成されている。中空部２３は図中上方に開放されており、開口部２４が形成されている。
【００１１】
本体部２２の一方側の内壁面には、中空部２３に露出してサーマルヘッド２５が取り付けられている。また、本体部２２の図中左側には、挿入部材２６がその基端２７を水平方向の回動軸を回動中心として回動自在に設けられている。さらに、挿入部材２６の先端２８は、後述する開閉ボタン５２の凹部５３に挿脱可能に設けられている。また、挿入部材２６の中間位置には、後述するピン４２に係止される被係止部２９が設けられている。被係止部２９の下方にはガイド部２９ａが形成され、ピン４２に当接することで被係止部２９側へ案内する形状を有している。
【００１２】
なお、ピン４２と被係止部２９とは、開閉蓋５０が閉じた状態で係合している。また、基端２７には引張バネ（付勢部材）２７ａが接続され、先端２８を右側へ付勢し、ピン４２と被係止部２９との係合が維持されている。
【００１３】
先端２８には筐体本体２０の左側から右側へ降下する傾斜面２８ａ（図２参照）が設けられ、後述する開閉ボタン５２の凹部５３の傾斜面５３ａと摺動可能に形成されている。
【００１４】
開閉機構３０は、ベース部２１に立設された支持部３１と、この支持部３１に設けられた支持孔３２に取り付けられた水平方向の回動軸３３と、この回動軸３３を回動中心として回動する用紙カバーフレーム４０と、この用紙カバーフレーム４０に取り付けられ、中空部２３をを覆う開閉蓋５０とを備えている。支持孔３２は長軸を水平方向とする楕円形状であり、回動軸３３が水平方向に移動可能に形成されている。
【００１５】
用紙カバーフレーム４０の先端側には、プラテンローラ４１が設けられており、開閉機構３０を閉じた状態でサーマルヘッド２５に押圧されることとなる。さらに用紙カバーフレーム４０には前述した挿入部材２６の被係止部２９を係止するためのピン（係止部）４２が設けられている。また、用紙カバーフレーム４０の中間部には、本体部２２に当接する当接部材４３が設けられており、バネ部材４４により、用紙カバーフレーム４０が開く方向に付勢されている。
【００１６】
開閉蓋５０は蓋体５１を備え、この蓋体５１の基端側が用紙カバーフレーム４０に対し揺動軸５１ａを介して上下方向に揺動可能に取り付けられている。また、蓋体５１の筐体本体２０の一方側に相当する先端側には、開閉ボタン５２が取り付けられている。図２に示すように、開閉ボタン５２の下面は開口されており、挿入部材２６が挿入可能な凹部５３が設けられている。
【００１７】
凹部５３には、挿入部材２６の先端２８に設けられた傾斜面２８ａが摺動可能に形成された傾斜面５３ａが設けられ、この傾斜面５３ａの上側にはさらに傾斜角度の大きい傾斜面５３ｂが連設されている。これにより、凹部５３及び挿入部材２６の先端部２８は、開閉ボタン５２を押し下げることにより、先端部２８を左側に移動させることができ、引張バネ２７ａによる付勢力に抗してピン４２と被係止部２９との係止を解除することができる。
【００１８】
このように構成されたサーマルプリンタ１０では、次のようにして感熱紙Ｐを交換する。すなわち、開閉機構３０の開閉ボタン５２を押し下げることにより、凹部５３の傾斜面５３ａが挿入部材２６の傾斜面２８ａに当接し、挿入部材２６の先端２８を図中左側へ移動させる。これにより、図３に示すように、ピン４２と被係止部２９との係止が解除される。
【００１９】
この係止が解除されても、入部材２６の傾斜面２８ａは凹部５３の傾斜面５３ａを右側へ押圧することになるため、用紙カバーフレーム４０は、全体的に右側へ付勢されることとなる。一方、支持孔３２が楕円形状であるため、用紙カバーフレーム４０の回動軸３３が右方向に移動する。また、樹脂材製のベース部２１が撓むことで、サーマルヘッド２５とプラテンローラ４１とが離間し、用紙カバーフレーム４０を開く際にプラテンローラ４１が本体部２２に干渉することはない。
【００２０】
なお、用紙カバーフレーム４０の当接部材４３が本体部２２に押し付けられているので、用紙カバーフレーム４０は自動的に開くこととなる。
【００２１】
感熱紙Ｐの交換を行った後、用紙カバーフレーム４０を閉じていくと、最初に当接部材４３が本体部２２に当接し、バネ部材４４をゆっくりと引き伸ばしてゆくため、用紙カバーフレーム４０はゆっくりと閉じることとなる。
【００２２】
開閉ボタン５２を押し込んでゆくと、ピン４２がガイド部２９ａに当接されて案内される。そして、ピン４２と被係止部２９とが係合し、プラテンローラ４１がサーマルヘッド２５に当接する。
【００２３】
上述したように、本実施の形態に係るサーマルプリンタ１０によれば、感熱紙Ｐを交換する際に、開閉ボタン５２を押し下げるだけの簡単な操作で開閉蓋５０を開閉することができるとともに、プラテンローラ４１を他の部材に干渉させることを防止できる。
【００２４】
なお、本発明は前記実施の形態に限定されるものではない。例えば、図５に示すように、挿入部材２６について先端２８をさらに強く右側へ付勢するために、引張バネ（付勢部材）２７ｂを付加するようにしてもよい。この他、本発明の要旨を逸脱しない範囲で種々変形実施可能であるのは勿論である。
【図面の簡単な説明】
【００２５】
【図１】本発明の一実施の形態に係るサーマルプリンタを模式的に示す縦断面図。
【図２】同サーマルプリンタの開閉蓋の要部を示す縦断面図。
【図３】同サーマルプリンタの開閉蓋の要部を示す縦断面図。
【図４】同サーマルプリンタの開閉蓋を開いた状態を模式的に示す縦断面図。
【図５】同サーマルプリンタの変形例を示す側面図。
【符号の説明】
【００２６】
１０…サーマルプリンタ、２０…筐体本体、２１…ベース部、２２…本体部、２２ａ…感熱紙搬送機構、２３…中空部、２４…開口部、２５…サーマルヘッド、２６…挿入部材、２７…基端、２７ａ…引張バネ（付勢部材）、２８…先端、２８ａ…傾斜面、２９…被係止部、３０…開閉機構、３１…支持部、３２…支持孔、３３…回動軸、４０…用紙カバーフレーム、４１…プラテンローラ、４２…ピン（係止部）、４３…当接部材、５０…開閉蓋、５１…蓋体、５２…開閉ボタン、５３…凹部、５３ａ…傾斜面。
【図１】
2008012862.tif 000003
【図２】
2008012862.tif 000004
【図３】
2008012862.tif 000005
【図４】
2008012862.tif 000006
【図５】
2008012862.tif 000007